(57)【要約】【課題】申請処理において、同一の申請が重複して申請処理されてしまうことが防止された申請処理装置を提供することを目的とする。【解決手段】本発明に係る申請処理装置１は、申請者のログイン時刻情報を含んだ申請初期情報、申請対象情報を含んだ申請情報を取得する申請情報取得手段１８と、ログイン時刻情報を含む既に申請された既存申請情報を記憶している申請情報記憶手段１９と、既存申請情報に申請情報取得手段１８により取得された申請情報と同一の申請情報が存在するか否かにより、重複申請であるか否かの判定を行う重複申請判定手段２０と、重複申請判定手段２０により重複申請でないと判定された場合に、申請を許可し、申請情報取得手段１８が取得した申請情報を申請情報記憶手段１９に記憶する申請処理手段２２と、を備えた。【選択図】  図２
2008077504.tif 000002
【特許請求の範囲】
【請求項１】
申請者のログイン時刻情報を含んだ申請初期情報、申請対象情報を含んだ申請情報を取得する申請情報取得手段と、
ログイン時刻情報を含む既に申請された既存申請情報を記憶している申請情報記憶手段と、
前記既存申請情報に前記申請情報取得手段により取得された申請情報と同一の申請情報が存在するか否かにより、重複申請であるか否かの判定を行う重複申請判定手段と、
この重複申請判定手段により重複申請でないと判定された場合に、申請を許可し、前記申請情報取得手段が取得した申請情報を前記申請情報記憶手段に記憶する申請処理手段と、
を備えたことを特徴とする申請処理装置。
【請求項２】
前記重複申請判定手段が重複申請であると判定した場合に、申請処理が行われなかった旨を通知する判定結果通知手段を備えた請求項１記載の申請処理装置。
【請求項３】
前記重複申請判定手段は、申請者情報をも用いて判定を行い、ログイン時刻情報が重複した場合に申請者情報も加味して判定を行う請求項１記載の申請処理装置。
【請求項４】
申請者のログイン時刻情報を含んだ申請初期情報、申請対象情報を含んだ申請情報を取得する申請情報取得ステップと、
ログイン時刻情報を含む既に申請されている既存申請情報に、前記申請情報取得ステップで取得した申請情報の前記ログイン時刻と同一のログイン時刻の申請情報が存在するか否かにより、重複申請であるか否かの判定を行う重複申請判定ステップと、
この重複申請判定ステップにより重複申請でないと判定された場合に、申請を許可し、前記申請情報取得ステップで取得した申請情報を記憶する申請処理ステップと、
をコンピュータに行わせることを特徴とする申請処理プログラム。
【請求項５】
前記重複申請判定ステップで、重複申請であると判定された場合に、申請処理が行われなかった旨を通知する請求項４記載の申請処理プログラム。
【発明の詳細な説明】
【技術分野】
【０００１】
本発明は、申請者からの申請に対して申請処理を行う申請処理装置及び申請処理プログラムに関する。
【背景技術】
【０００２】
電子情報技術の発展に伴って、様々な情報が電子情報として管理されるようになるとともに、ネットワークを介して申請承認処理を行う申請処理装置が提案されてきた。
【０００３】
特許文献１に、ネットワークを介して注文処理を行う際に、同一顧客からの重複注文のチェックを行う情報処理装置が記載されている。
【０００４】
この情報処理装置では、申請情報が格納されるデータベースにおいて、レコードを一意に識別するためのフィールドが「顧客名」と「注文日時」に設定されていて、同一日時に同一顧客からの注文を一つだけ受け付けるものである。
【特許文献１】特開２００４−３４８２６９号公報
【発明の開示】
【発明が解決しようとする課題】
【０００５】
注文処理を行う際に、同一日時に同一顧客からの注文を一つだけ受け付ける方法では、顧客と注文日時との情報のみにより重複チェックが行われるため、顧客が誤ってダブルクリックをしてしまい、１度目と２度目で時刻の秒が異なる際等には注文日時が異なってしまい、重複とみなされない。
【０００６】
すなわち、注文処理において、同一の注文が重複して注文処理されてしまう恐れがあるという課題があった。
【０００７】
本発明は、上記課題を鑑みなされたもので、申請処理において、同一の申請が重複して申請処理されてしまうことが防止された申請処理装置を提供することを目的とする。
【課題を解決するための手段】
【０００８】
上記課題を解決するために、本発明に係る申請処理装置は、申請者のログイン時刻情報を含んだ申請初期情報、申請対象情報を含んだ申請情報を取得する申請情報取得手段と、ログイン時刻情報を含む既に申請された既存申請情報を記憶している申請情報記憶手段と、前記既存申請情報に前記申請情報取得手段により取得した申請情報と同一の申請情報が存在するか否かにより、重複申請であるか否かの判定を行う重複申請判定手段と、この重複申請判定手段により重複申請でないと判定された場合に、申請を許可し、前記申請情報取得手段が取得した申請情報を前記申請情報記憶手段に記憶する申請処理手段と、を備えたことを特徴とする。
【発明の効果】
【０００９】
本発明に係る申請処理装置及び申請処理プログラムによると、申請処理において、同一の申請が重複して申請処理されてしまうことを防止することが可能となる。
【発明を実施するための最良の形態】
【００１０】
本発明に係る申請処理装置及び申請処理プログラムの実施形態について、添付図面に基づいて説明する。
【００１１】
本発明に係る申請処理装置の実施形態について、図１〜図１２に基づいて詳細に説明する。実施形態として、図書購入の申請処理を行う申請処理装置１を例にとって説明する。
【００１２】
図１は、申請処理装置１が適用される申請処理システム２のシステム構成図である。
【００１３】
申請処理システム２は、ネットワーク３上に  申請処理を行う申請処理装置１と、図書情報を検索する図書検索装置４と、申請者が申請を行う申請者端末５とを備える。
【００１４】
ネットワーク３は、ＷＡＮ（Ｗｉｄｅ  Ａｒｅａ  Ｎｅｔｗｏｒｋ）、インターネット、ＬＡＮ（Ｌｏｃａｌ  Ａｒｅａ  Ｎｅｔｗｏｒｋ）等であり、申請処理装置１、図書検索装置４、及び申請者端末５は、このネットワーク３を介して通信可能に接続される。
【００１５】
図２は、申請処理装置１の機能構成図である。
【００１６】
申請処理装置１は、予め申請者の認証情報を記憶している認証情報記憶手段１１と、認証情報記憶手段１１に記憶されている認証情報を用いて申請者の認証を行う申請者認証手段１２と、申請者のログイン時刻情報を含んだ申請初期情報を生成する申請初期情報生成手段１３と、申請対象となる図書の検索を行うためのキーワード情報を取得するキーワード情報取得手段１４と、キーワード情報を図書検索装置４に送信するキーワード情報送信手段１５と、キーワード情報送信手段１５で送信されたキーワード情報を基に検索された図書情報を取得する図書情報取得手段１６と、図書情報を提示して申請者に申請者名情報５０や申請対象情報を含んだ申請情報を入力させるための申請入力画面情報を送信する申請入力画面情報送信手段１７と、申請情報を取得する申請情報取得手段１８と、既に申請された既存申請情報を記憶している申請情報記憶手段１９と、申請情報記憶手段１９に記憶された既存申請情報に申請情報取得手段１８が取得した申請情報と同一の申請情報が存在するか否かにより重複申請であるか否かを判定する重複申請判定手段２０と、重複申請判定手段２０による判定結果を通知する判定結果通知手段２１と、重複申請判定手段２０により重複申請でないと判定された場合に、申請情報取得手段１８が取得した申請情報を申請情報記憶手段１９に記憶する申請処理手段２２とを備える。
【００１７】
図３は、図書検索装置４の機能構成図である。
【００１８】
図書検索装置４は、申請図書の検索を行うためのキーワード情報を取得するキーワード情報取得手段３１と、予め図書情報を記憶している図書情報記憶手段３２と、キーワード情報取得手段３１が取得したキーワード情報を用いて図書情報記憶手段３２に記憶された図書情報から申請図書を検索する図書検索手段３３と、図書検索手段３３で検索された申請対象となる図書の図書情報を申請処理装置１に送信する図書情報送信手段３４とを備える。
【００１９】
図４は、申請者端末５の機能構成図である。
【００２０】
申請者端末５は、申請者の認証に必要な情報である認証情報を入力させるための認証入力画面情報を取得する認証入力画面情報取得手段４１と、入力された認証情報を申請処理装置１に送信する認証情報送信手段４２と、図書検索の際のキーワード情報を入力するためのキーワード入力画面情報を取得してキーワード入力画面情報を表示するキーワード入力画面情報取得手段４３と、キーワード情報を申請処理装置１に送信するキーワード情報送信手段４５と、申請に必要な情報である申請情報を入力するための申請入力画面情報を取得して申請入力画面情報を表示する申請入力画面情報取得手段４６と、入力された申請情報を送信する申請情報送信手段４８と、申請が受理されたか否かの判定結果を表示する判定結果表示手段４９と、を備える。
【００２１】
認証情報は、申請者名を示す申請者名情報５０、申請者のユーザＩＤを示すユーザＩＤ情報、申請者が設定しユーザＩＤに対応付けられているパスワードを示すパスワード情報等を含んでいる。複数の申請者の認証情報が、申請処理装置１の認証情報記憶手段１１に予め記憶されている。
【００２２】
図５に申請情報記録手段に記憶されている申請情報の詳細を示す。
【００２３】
申請情報は、申請者名を示す申請者名情報５０、申請時刻を示す申請時刻情報５１、申請者の最終ログイン時刻を示すログイン時刻情報５２、申請対象の情報である申請対象情報（例えば、図書購入を申請する場合、申請対象となる図書のタイトルを示すタイトル情報５３、申請対象となる図書の冊数を示す数量情報５４、申請対象となる図書の価格を示す価格情報５５、申請対象となる図書の著者を示す著者情報５６、申請対象となる図書の出版社を示す出版社情報５７）等を含んでいる。申請が受理された際に、この申請の申請情報は、申請処理装置１の有する申請情報記憶手段１９に記憶される。
【００２４】
また、申請初期情報は、申請者名を示す申請者名情報５０、申請者のユーザＩＤを示すユーザＩＤ情報、申請者の最終ログイン時刻を示すログイン時刻情報５２等を含んでいる。申請初期情報は、申請処理装置１の申請初期情報生成手段１３により生成され、申請処理装置１の重複申請判定手段２０による判定の際に用いられる。なお、最終ログイン時刻は、日時分秒の単位で扱われる。
【００２５】
図書情報は、図書のタイトルを示すタイトル情報５３、図書の価格を示す価格情報５５、図書の著者を示す著者情報５６、図書の出版社を示す出版社情報５７、図書のＩＳＢＮ番号を示すＩＳＢＮ番号情報、図書を検索する際のキーワードを示すキーワード情報等を含んでいる。多数の図書に関する図書情報が、図書検索装置４の図書情報記憶手段３２に予め記憶されている。
【００２６】
申請処理装置１が申請処理を行う際に、申請処理装置１が申請者を認証するとともに、申請者端末５から申請対象となる図書のキーワード情報を取得する手順を、図６のフローチャートに基づいて説明する。
【００２７】
始めに、申請処理装置１の申請者認証手段１２は、申請者の認証情報を入力させるための情報である認証入力画面情報を申請者端末５に送信する（Ｓ１０１）。申請者端末５の認証入力画面情報取得手段４１は、この認証入力画面情報を取得してこの認証入力画面情報を表示する。申請者端末５において申請者により認証情報が入力されると、申請者端末５の認証情報送信手段４２が、この認証情報を申請処理装置１に送信する。
【００２８】
申請処理装置１の申請者認証手段１２は外部から認証情報を取得したか否かを判定する（Ｓ１０２）。外部から認証情報を取得したと判定する（Ｓ１０２のＹｅｓ）と、申請処理装置１の申請者認証手段１２は、認証情報記憶手段１１に記憶されている認証情報を取得する（Ｓ１０３）。申請者認証手段１２は、認証情報記憶手段１１から取得した認証情報と申請者端末５から受信した認証情報とを照合することによって、申請者が申請を行う正規の人物であるか否かを認証する（Ｓ１０４）。この認証処理は、例えば認証情報に含まれるユーザＩＤ情報とパスワード情報とを用いて行われる。
【００２９】
申請者認証手段１２による認証に失敗した場合、すなわち申請者が正規の申請者ではないと判定された場合（Ｓ１０４のＮｏ）は、申請者認証手段１２は、エラーメッセージを申請者端末５に送信して（Ｓ１１０）処理を終了する。
【００３０】
また、申請者認証手段１２による認証に成功した場合、すなわち申請者が正規の申請者と判定された場合（Ｓ１０４のＹｅｓ）は、申請処理装置１の申請初期情報生成手段１３は、認証情報からユーザＩＤ情報を取得するとともに、申請者端末５から認証情報を受信した時刻をログイン時刻としてログイン時刻情報５２を生成し、このユーザＩＤ情報及びログイン時刻情報５２を含んだ申請初期情報を生成する（Ｓ１０５）。
【００３１】
申請処理装置１のキーワード情報取得手段１４は、申請者に図書の検索キーワードを入力させるためのキーワード入力画面情報に、Ｓ１０５で生成した申請初期情報を付与する（Ｓ１０６）。このキーワード入力画面情報を申請者端末５に送信する（Ｓ１０７）。
【００３２】
申請者端末５のキーワード入力画面情報取得手段４３は、キーワード入力画面情報を取得すると、このキーワード入力画面情報を表示する。申請者端末５において申請者によりキーワード情報が入力されると、申請者端末５のキーワード情報送信手段４５は申請処理装置１に対してこのキーワード情報を送信する。なお、このキーワード情報にはＳ１０６で付与された申請初期情報が含まれている。
【００３３】
申請処理装置１のキーワード情報取得手段１４が申請者端末５からキーワード情報を取得したか否かを判定する（Ｓ１０８）。キーワード情報を受信したと判定した場合（Ｓ１０８のＹｅｓ）は、キーワード情報取得手段１４は、キーワード情報を取得し所定の場所に記憶する（Ｓ１０９）。
【００３４】
以上のようにして、申請処理装置１は、申請者の認証を行うとともに、図書を検索するためのキーワード情報を取得する。
【００３５】
次に、図書検索装置４がキーワード情報を用いて申請対象となる図書の申請図書情報を作成して送信する手順について、図７に示すフローチャートに基づいて説明する。
【００３６】
申請処理装置１のキーワード情報送信手段１５は、図書検索装置４に申請者端末５から取得したキーワード情報を送信する。
【００３７】
図書検索装置４のキーワード情報取得手段３１が申請処理装置１からキーワード情報を取得する（Ｓ２０１）と、図書検索装置４の図書検索手段３３は、図書情報記憶手段３２に記憶されている図書情報を用いて、キーワード検索を行う（Ｓ２０２）。
【００３８】
図書検索手段３３は、申請処理装置１から取得したキーワード情報を、図書情報記憶手段３２に記憶されているキーワード情報と照合してキーワード情報が一致している図書を該当図書として選出する（Ｓ２０３）。この際、キーワード情報が一致する図書が存在しなかった場合は、最も類似したキーワード情報を有する図書を該当図書として選出する。図書検索装置４の図書情報送信手段３４は選出した該当図書の図書情報である該当図書情報を申請処理装置１に送信する（Ｓ２０４）。なお、この該当図書情報の情報を含んだ該当図書情報は、キーワード情報に付与されていた申請初期情報を含んでいる。
【００３９】
図７のフローチャートでは該当図書が１つであっても複数であってもよい。また、該当図書がない場合はその旨を図書情報送信手段３４は該当なしの旨を送信するようにしてもよい。
【００４０】
次に、申請処理装置１が該当図書情報を用いて申請者端末から申請情報を取得する手順について、図８に示すフローチャートに基づいて説明する。
【００４１】
申請処理装置１の図書情報取得手段１６は、図書検索装置４から該当図書情報を取得する（Ｓ３００）。また、図書情報取得手段１６はこの該当図書情報から図書情報と申請初期情報を抽出して申請図書情報を作成する（Ｓ３０１）。
【００４２】
申請処理装置１の申請入力画面情報送信手段１７は、Ｓ３０１で作成した申請図書情報を提示して申請者に申請情報の入力を促すための申請入力画面情報を作成する（Ｓ３０２）。そして、申請入力画面情報送信手段１７は、この申請入力画面情報を申請者端末５に送信する（Ｓ３０３）。
【００４３】
申請者端末５の申請入力画面情報取得手段４６が申請処理装置１から申請入力画面情報を取得すると、申請者端末５の申請入力画面情報取得手段４６は、申請入力画面情報に基づいて申請入力画面６０を表示する。
【００４４】
申請入力画面６０は、申請者に申請情報を入力させるための画面であり、図９に示すように、申請初期情報表示欄６１、申請情報入力欄６２、申請ボタン６３を備える。申請情報は、例えばタイトル、数量、価格、著者名、出版社名、ＩＳＢＮ番号、購入理由の情報を含んでいる。申請情報入力欄６２には、申請入力画面情報に含まれている図書情報が予め表示されている。申請初期情報表示欄６１は申請者名とログイン時刻を表示している。図９においてはテック太郎さんが２００６年３月３日１２時３４分５６秒にログインした申請処理の申請初期情報を示している。
【００４５】
申請者端末５の申請情報送信手段４８は、申請ボタンが押下されたことを感知すると、現在時刻を申請時刻情報５１に設定するとともに、入力された申請情報に申請時刻情報５１を付与して申請処理装置１に送信する。なお、この申請情報は、申請入力画面情報に付与されていた申請初期情報を含んでいる。
【００４６】
申請処理装置１の申請情報取得手段１８は、申請者端末５から申請情報を受信したか否かを判定する（Ｓ３０４）。申請情報取得手段１８は、申請情報を受信したと判定すると（Ｓ３０４のＹｅｓ）と、申請情報に入力不備があるか否か、すなわち申請に必要な情報が全て申請情報に含まれているか否かを判定する（Ｓ３０５）。
【００４７】
申請情報に不備があった場合（Ｓ３０５のＹｅｓ）は、申請情報取得手段１８は、申請者端末５にエラーメッセージを送信する（Ｓ３０６）。
【００４８】
また、申請情報に不備がなかった場合（Ｓ３０５のＮｏ）は、申請処理装置１の重複申請判定手段２０、判定結果通知手段２１、及び申請処理手段２２により、後述する申請処理が行われる（Ｓ３０７）。
【００４９】
次に、申請処理装置１が申請者端末５から受信した申請情報に基づいてＳ３０７の申請処理を行う手順を、図１０に示すフローチャートに基づいて説明する。
【００５０】
始めに、申請処理装置１の重複申請判定手段２０は、同じ申請者から申請情報が重複申請されているか否かを判定する。
【００５１】
まず、重複申請判定手段２０は、申請者端末５から取得した申請情報に付されている申請初期情報のうちのログイン時刻情報５２を抽出する（Ｓ４０１）。重複申請判定手段２０は、申請者端末５から取得したログイン時刻情報を、申請情報記憶手段１９に記憶されている既存申請情報のログイン時刻情報と照合し、同じログイン時刻情報５２を有する申請情報が存在するか否かを判定する（Ｓ４０２）。
【００５２】
申請情報記憶手段１９に同じログイン時刻情報５２を有する既存申請情報が存在しなかった場合（Ｓ４０２のＮｏ）は、申請処理装置１の申請処理手段２２は、申請者端末５から取得した申請情報を申請情報記憶手段１９に記憶する（Ｓ４０３）。そして、申請処理装置１の判定結果通知手段２１は、申請者による申請が受理されたことを示す申請受理情報を申請者端末５に送信する（Ｓ４０４）。
【００５３】
また、申請情報記憶手段１９に同じログイン時刻情報５２を有する申請情報が存在した場合（Ｓ４０２のＹｅｓ）は、重複申請判定手段２０は、申請者端末５から取得した申請情報の申請者名情報５０を抽出する（Ｓ４０５）。また、重複判定手段２０は申請情報記憶手段１９から同じログイン時刻情報５２を有する申請情報に含まれる申請者名情報５０を抽出する（Ｓ４０６）。Ｓ４０５で抽出した申請者名情報５０が、Ｓ４０６で申請情報記憶手段１９から抽出した申請者名情報５０に含まれるか否かを判定する（Ｓ４０７）。
【００５４】
申請者名情報５０が含まれなかった場合（Ｓ４０７のＮｏ）は、その申請は偶然に同一時刻にログインした他の申請者の申請であるので、申請者端末５から取得した申請情報を申請情報記憶手段１９に記憶するために、Ｓ４０３に進む。
【００５５】
また、申請者名情報５０が含まれる場合（Ｓ４０７のＹｅｓ）は、重複申請判定手段２０は重複申請であるので、申請を却下し、申請処理装置１の判定結果通知手段２１は、申請者による申請が却下されたことを示す申請却下情報を申請者端末５に送信する（Ｓ４０８）。
【００５６】
なお、重複申請判定手段２０がログイン時刻情報５２による判定、申請者名情報５０による判定を別々に行っているが、これらを同時に判定しても良い。
【００５７】
このように、重複申請処理手段２０は、申請者端末５から取得した申請情報に付与された申請初期情報と、申請情報記憶手段１９に記憶された申請初期情報とを比較することにより、同一の申請情報を重複して申請処理してしまうことを防止する。すなわち、申請者が意図せずダブルクリックをしてしまい２回重複して申請された時に、申請時刻が（例えば秒単位で）異なっていてもログイン時刻は同一であり、申請者名も同一となるため、２つの申請が同一の申請であると見なされ、２回目の申請が却下される。また、申請の際にログイン時刻と申請者名とが組で申請記憶手段１９に記憶されているので、申請者が同一ログイン内で行う間は重複申請を防止することができる。
【００５８】
申請者端末５が申請処理装置１から申請却下情報を受信した際には、申請者端末５の判定結果表示手段４９は、図１１に示すような申請却下画面６５を表示する。
【００５９】
また、申請者端末５が申請処理装置１から申請受理情報を受信した際には、申請者端末５の判定結果表示手段４９は、図１２に示すような申請受理画面６６を表示する。
【００６０】
なお、当初のログイン時刻は申請情報記憶手段１９とは異なる場所に記憶させる場合で説明をしたが、申請情報記憶手段１９に最初に記憶させるような形でもよい。この時にはＳ４０２の処理において、さらに、申請情報記憶手段１９にこの申請の情報として記憶されている情報をそのログイン時刻の情報だけとし、この申請のその他の情報が空欄とすることを条件に、Ｓ４０３の処理に進む。
【００６１】
また、申請処理装置１の判定結果通知手段２１は、判定結果を電子メール等で通知してもよい。さらに、申請者端末５の判定結果表示手段４９は、申請却下画面６５の背景色を、申請者に注意を喚起させるために目立つ色を使って表示させたり、申請却下画面６５の表示の際に音で知らせたりしても良い。
【００６２】
実施形態では図書の購入申請について例示したが、これに限定されることなく、電子部品の購入申請、文房具の購入申請、日用雑貨品の購入申請、電化製品の購入申請、音楽ソフトや映像ソフト（ＣＤ、ＭＤ、ＤＶＤ、ビデオ等）の購入申請、医薬品の購入申請などいろいろな対象商品の申請処理に適応させても良い。また、購入申請に限定することなく、旅費申請や出張申請などのいろいろな申請に適応させても良い。
【００６３】
実施形態の申請処理装置１によると、ネットワーク３を介して申請処理を行う際に、同一の申請情報が重複して申請されてしまうことを防止することが可能となった。
【００６４】
なお、実施形態では、装置内部に発明を実施する機能が予め記録されている場合で説明をしたが、これに限らず、同様の機能をネットワーク３から装置にダウンロードしても良いし、同様の機能を記録媒体に記憶させたものを装置にインストールしてもよい。
【００６５】
記録媒体としては、ＣＤ−ＲＯＭ等プログラムを記憶でき、かつ装置が読み取り可能な記録媒体であれば、その形態は何れの形態であっても構わない。
【００６６】
また、このように予めインストールやダウンロードにより得る機能は、装置内部のＯＳ（オペレーティング・システム）等と協働してその機能を実現させるものであってもよい。
【図面の簡単な説明】
【００６７】
【図１】本発明に係る申請処理装置が適用される申請処理システムのシステム構成図。
【図２】申請処理装置の機能構成図。
【図３】申請処理システムの図書検索装置の機能構成図。
【図４】申請処理システムの申請者端末の機能構成図。
【図５】申請情報のデータ構成を示す図。
【図６】申請処理装置がキーワード情報を取得する手順を示すフローチャート。
【図７】図書検索装置が申請図書情報を作成する手順を示すフローチャート。
【図８】申請処理装置が申請情報を取得する手順を示すフローチャート。
【図９】申請者端末の申請入力画面の図。
【図１０】申請処理装置が申請処理を行う手順を示すフローチャート。
【図１１】申請者端末の申請却下画面の図。
【図１２】申請者端末の申請受理画面の図。
【符号の説明】
【００６８】
１８  申請情報取得手段
１９  申請情報記憶手段
２０  重複申請判定手段
２１  判定結果通知手段
２２  申請処理手段
【図１】
2008077504.tif 000003
【図２】
2008077504.tif 000004
【図３】
2008077504.tif 000005
【図４】
2008077504.tif 000006
【図５】
2008077504.tif 000007
【図６】
2008077504.tif 000008
【図７】
2008077504.tif 000009
【図８】
2008077504.tif 000010
【図９】
2008077504.tif 000011
【図１０】
2008077504.tif 000012
【図１１】
2008077504.tif 000013
【図１２】
2008077504.tif 000014